(57)【特許請求の範囲】
【請求項１】
相互に接合されるプレキャストコンクリート部材に、夫々の接合部側が開口する溝を形成し、該溝の接合部側とは反対側に、前記溝の幅より大きな幅と、前記溝の深さより深い深さを有する係合溝を形成し、
両端部を、その本体部の軸に対して９０°以上曲折することにより係合部を形成した接合部材を、その係合部が前記係合溝内に位置するように、一方のプレキャストコンクリート部材の溝内と、他方のプレキャストコンクリート部材の溝内に亘って配設し、
前記溝内及び係合溝内及びプレキャストコンクリート部材間に接着材を充填し、これを硬化させて、前記接合部材を前記接着材により前記プレキャストコンクリート部材に付着させて両プレキャストコンクリート部材相互を接合することを特徴とするプレキャストコンクリート部材の接合方法。
【発明の詳細な説明】
【技術分野】
【０００１】
本発明はプレキャストコンクリート部材の接合方法に関する。
【背景技術】
【０００２】
従来、プレキャストコンクリート部材（以下ＰＣａ部材ともいう）からなる床版相互や壁版相互を接合する方法として、接合するＰＣａ部材間に渡って接合筋である鉄筋を配設することにより行っていた。
【発明の概要】
【発明が解決しようとする課題】
【０００３】
上記従来のＰＣａ部材相互の接合方法においては、接合に用いる鉄筋を、他の配筋に対して溶接により接合しない場合には、その鉄筋を、夫々のＰＣａ部材内に埋設する長さを、鉄筋の径の４０倍とする必要があった。
【０００４】
そのため、接合筋として、長い鉄筋が必要となるという問題点があった。
【０００５】
そこで本発明は、上記従来のプレキャストコンクリート部材の接合に用いる接合筋よりも短い接合部材でプレキャストコンクリート部材を接合できる接合方法を提供することを目的とするものである。
【課題を解決するための手段】
【０００６】
前記の課題を解決するために、請求項１記載の発明は、相相互に接合されるプレキャストコンクリート部材に、夫々の接合部側が開口する溝を形成し、該溝の接合部側とは反対側に、前記溝の幅より大きな幅と、前記溝の深さより深い深さを有する係合溝を形成し、
両端部を、その本体部の軸に対して９０°以上曲折することにより係合部を形成した接合部材を、その係合部が前記係合溝内に位置するように、一方のプレキャストコンクリート部材の溝内と、他方のプレキャストコンクリート部材の溝内に亘って配設し、
前記溝内及び係合溝内及びプレキャストコンクリート部材間に接着材を充填し、これを硬化させて、前記接合部材を前記接着材により前記プレキャストコンクリート部材に付着させて両プレキャストコンクリート部材相互を接合することを特徴とするものである。
【発明の効果】
【０００８】
本発明によれば、両端部に係合部を有する接合部材を、その係合部が係合溝内に位置するように、一方のプレキャストコンクリート部材の溝と、他方のプレキャストコンクリート部材の溝に亘って配設し、溝内及び係合溝内及びプレキャストコンクリート部材間に接着材を充填し、これを硬化させて、接合部材を前記接着材によりプレキャストコンクリート部材に付着させて両プレキャストコンクリート部材相互を接合したことにより、プレキャストコンクリート部材同士が相互にずれる方向に力が作用した際に、係合部と係合溝若しくは接着剤とが係合することにより、接合部材がプレキャストコンクリート部材から抜けることを抑制でき接合筋としての役割を果たすことができる。
【０００９】
これにより、上記従来の接合方法と比較して、それに用いる接合部材の長さを短くできるとともに、その接合部材を埋設するための溝なども短くでき、製造コストを下げることができる。
【図面の簡単な説明】
【００１０】
【図１】本発明の実施例を示すもので、ＰＣａ床版の接合状態を示す平面図。
【図２】接合部材の配置及び接着剤の充填を行わない状態の部分拡大平面図。
【図３】図２のＡ−Ａ線断面図。
【図４】図２の状態から接合部材を配設した状態の部分拡大平面図。
【図５】図４のＢ−Ｂ線断面図。
【図６】図４の状態から接着剤を充填した状態の平断面図。
【発明を実施するための形態】
【００１１】
本発明は、任意のプレキャストコンクリート部材（以下ＰＣａ部材ともいう）相互の接合に用いることができるもので、以下において、壁式プレキャスト鉄筋コンクリート造建物におけるプレキャストコンクリート製の床版（以下ＰＣａ床版ともいう）の接合方法に用いた実施例に基づいて説明する。
【００１２】
図１は接合する相互のＰＣａ床版１，２の配置状態の平面図である。
【００１３】
ＰＣａ床版１（２）には、その表裏方向の一方の面１ａ（２ａ）と、接合側端面３（４）側が開口するととともに、接合側端面３（４）と直交する有底状の溝６が形成されている。溝６の幅Ｌ１と深さＬ２は、溝６内に配置する接合部材１０の直径よりも大きい所定の長さに設定されており、後述する接着材１１の充填前には、溝６内に配置される接合部材１０の周りに空間が生じるようになっている。
【００１４】
一方のＰＣａ床版１に設けた溝６と、他のＰＣａ床版２に設けた溝６は、両ＰＣａ床版１、２を図１に示すように所定の位置に配置した際に、相互に対向位置となるように溝６が形成され、一方のＰＣａ床版１に設けた溝６の軸と、他のＰＣａ床版２に設けた溝６の軸は、略同一線上に位置するようになっている。また、溝６は、図１に示すように、任意の間隔を有して複数形成されている。なお、溝６の個数、幅Ｌ１、深さＬ２、長さＬ３は接合するＰＣａ床版の形状や接合部材１０の種類等に応じて任意に設定する。
【００１５】
夫々の溝６の接合側端面３，４とは反対側には、溝６と連通する係合溝１３が形成されている。係合溝１３の幅Ｌ４は、溝６の幅Ｌ１より大きく、係合溝１３の深さＬ５は溝６の深さＬ２より大きくなるように設定されている。
【００１６】
なお、溝６内に配置する接合部材１０には、その両端部に接合部材１０の本体部１０ａの軸に対して、９０°以上折曲して形成した係合部１０ｂ，１０ｂが形成され、本体部１０ａと係合部１０ｂは一体に形成されている。溝６内に接合部材１０を配置した際に、接合部材１０の係合部１０ｂと接合溝１３との間に所定間隔の空間１５が形成されるようになっている。接合部材１０として、所定の引っ張り強度等を有するものであれば任意の部材を用いることができるが、本実施例では、Ｄ１０又はＤ１３の鉄筋を用いた。
【００１７】
係合部１０ｂの軸方向の長さ（折曲長さ）は、溝６の幅Ｌ１より大きく設定されている。
【００１８】
次に、前記の構成による両ＰＣａ床版１，２の接合方法について説明する。
【００１９】
先ず、接合する両ＰＣａ床版１と２を図１に示すように、夫々の接合端面３，４が目地２０の長さ分離間して対向するように配置して建て込む。
【００２０】
次に、図４，５に示すように、ＰＣａ床版１，２の溝６，６内に亘って、接合部材１０を配設し、接合部材１０の両係合部１０ｂ，１０ｂが、ＰＣａ床版１，２の係合溝１３，１３内に位置するとともに、係合部１０ｂと接合溝１３との間に空間１５が形成されるように配置する。また、係合部１０ｂを、本体部１０ａの軸に対して、１８０°以上折曲して瘤状に形成した場合には、係合部１０ｂの外側端が、係合溝１３における溝６の軸方向の中央よりも奥側に位置するとともに、係合部１０ｂと接合溝１３との間に空間１５が形成されるように配置するようにしてもよい。なお、空間１５を設けず、係合部１０ｂと係合溝１３とが当接するようにしてもよい。
【００２１】
次に、目地２０の上下開口部、溝６及び接合溝１３の一方の面１ａ，２ａ側開口部を、図示しない適宜閉塞手段（型枠等）で塞ぎ、適宜位置から接着材１１を注入し、接着材１１を図６に示すように、目地２０、溝６接合溝１３内に充填し、接着材１１を付着させる。
【００２２】
この接着材１１としては、モルタル、コンクリート、モルタルに膨張材を混入した無収縮グラウト、エポキシ系接着材などの接着材を使用でき、実施に際しては、無収縮グラウトを使用した。
【００２３】
次に、接着材１１を養生硬化させた後、閉塞手段を外す。これにより、接合部材１０と両ＰＣａ床版１，２は硬化した接着材１１により接着される。これにより、両ＰＣａ床版１，２は接合される。
【００２４】
接着剤１１は、ＰＣａ床版１，２よりも強度が低いために、一方のＰＣａ床版１と他方のＰＣａ床版２とがずれるように力が作用すると、目地２０において破断が生じる。また、ＰＣａ床版１，２相互のずれにより、接合部材１０の係合部１０ｂが引っ張られて接合側端面３，４方向に移動する。この係合部１０ｂの移動により、係合溝１３内の接着剤１１が破壊されて膨張するとともに、係合部１０ｂが、係合溝１３又は膨張した接着剤１１により、接合部材１０がＰＣａ床版１，２から抜けることが抑制される。これにより、上記従来の接合方法よりも短い接合部材１０を用いても、接合部材１０のＰＣａ床版１，２からの抜けを防止でき、接合部材１０が接合筋の役割を果たすことができる。
【００２５】
また、従来、接合するコンクリート部材同士に、夫々接合側が開口する蟻溝を形成し、両蟻溝に亘って、石やコンクリートで形成した楔を配設することによりコンクリート部材同士を接合することがあるが、楔が破断するとコンクリート部材同士の接合が解除されてしまう恐れがある。
【００２６】
しかし、本発明は、溝６と係合溝１３に亘って接合部材１０である鉄筋を配設するとともに、接合部材１０の両係合部１０ｂ，１０ｂが、係合溝１３，１３内に位置するようにしたことにより、接着剤１１が破断したとしても、接合部材１０とその係合部１０ｂにより、ＰＣａ床版１，２相互の接合が保たれるため、その接合が解除される恐れはない。
【００２７】
なお、接合部材１０の係合部１０ｂと係合溝１３は、上記に記載した形状に限定されず、係合部１０ｂと係合溝１３とが相互に係合することができる形状であれば任意の形状に形成することができる。
【００２８】
なお、本発明は上記の実施例の外にも、ＰＣａ壁版相互、ＰＣａ屋根版相互を前記の方法で接合してもよい。
【符号の説明】
【００２９】
１，２  プレキャストコンクリート部材
６  溝
１３  係合溝
１０  接合部材
１０ｂ  係合部  
１１  接着材
【図１】
0006643851.tif 000002
【図２】
0006643851.tif 000003
【図３】
0006643851.tif 000004
【図４】
0006643851.tif 000005
【図５】
0006643851.tif 000006
【図６】
0006643851.tif 000007